(57)【特許請求の範囲】
【請求項１】
セット時には駆動ばねの付勢力に抗してセット部材によって作動させられ撮影時には該駆動ばねの付勢力によってシャッタ羽根を伴って作動させられる少なくとも一つの駆動部材と、軸部と該軸部の一端に設けられた頭部と該軸部の他端に設けられた鉄片部とを有しており前記駆動部材の取付部に対し該軸部の軸方向へ移動可能に取り付けられている鉄片部材と、前記取付部と前記鉄片部との間に配置されていて前記鉄片部と前記取付部を遠ざけるように付勢しているばね部材と、撮影時には前記鉄片部を吸着保持しており露光制御回路からの信号によってその保持力を解除され前記駆動ばねの付勢力による前記駆動部材の作動を可能にする電磁石と、を備えており、前記軸部の外周には雄ねじが形成され、前記鉄片部には該雄ねじに螺合している雌ねじが形成されていて、それらの螺合位置を変えることによって、前記取付部と前記鉄片部との間隔を変え得るようにしたことを特徴とするカメラ用フォーカルプレンシャッタ。
【請求項２】
セット時には駆動ばねの付勢力に抗してセット部材によって作動させられ撮影時には該駆動ばねの付勢力によってシャッタ羽根を伴って作動させられる少なくとも一つの駆動部材と、軸部と該軸部の一端に設けられた頭部と該軸部の他端に設けられた鉄片部とを有しており前記駆動部材の取付部に対し該軸部の軸方向へ移動可能に取り付けられている鉄片部材と、前記取付部と前記鉄片部との間に配置されていて前記鉄片部と前記取付部を遠ざけるように付勢しているばね部材と、撮影時には前記鉄片部を吸着保持しており露光制御回路からの信号によってその保持力を解除され前記駆動ばねの付勢力による前記駆動部材の作動を可能にする電磁石と、を備えており、前記鉄片部は前記軸部に対して該軸部の軸方向へ移動可能に取り付けられ、前記軸部の外周には雄ねじが形成され、前記取付部には該雄ねじに螺合している雌ねじが形成されていて、それらの螺合位置を変えることによって、前記取付部と前記鉄片部との間隔を変え得るようにしたことを特徴とするカメラ用フォーカルプレンシャッタ。
【発明の詳細な説明】
【０００１】
【発明の属する技術分野】
本発明は、カメラ用フォーカルプレンシャッタに関する。
【０００２】
【従来の技術】
カメラ用フォーカルプレンシャッタの中には、シャッタ地板，中間板，補助地板と称されている３枚の板部材の間に二つの羽根室を構成し、それらの羽根室内に、先羽根，後羽根と称されている二つのシャッタ羽根を個別に配置すると共に、羽根室外においては、シャッタ地板に、先羽根用駆動部材と後羽根用駆動部材を取り付け、それらによって先羽根と後羽根を作動させるようにしたものが知られている。そして、この種のフォーカルプレンシャッタは、銀塩カメラにもデジタルスチルカメラにも採用されている。また、デジタルスチルカメラにのみ採用されるフォーカルプレンシャッタとしては、シャッタ羽根を一つしか備えていないものがあるが、その場合には、上記の３枚の板部材のうち中間板を備えておらず、羽根室は、シャッタ地板と補助地板の間に構成している。そして、当然のことながら、シャッタ羽根を作動させる駆動部材も一つだけとなっている。
【０００３】
また、これらのフォーカルプレンシャッタには、各駆動部材を、露光作動開始位置で保持する方法として、係止タイプと称されているものと、ダイレクトタイプと称されているものがある。そのうち、ダイレクトタイプのものは、セット作動時に、駆動部材が、セット部材によって、セット位置へ作動させられると、その駆動部材に取り付けられた鉄片部材を電磁石の鉄芯に接触させるようになっている。このとき、電磁石には通電されていないため、セット部材は、直ちに初期位置へは復帰せず、その接触状態を維持させる。撮影に際しては、先ず最初に、電磁石に通電して、鉄片部材を吸着保持させ、その後に、セット部材を初期位置へ復帰させる。そして、電磁石に対する通電が、露光制御回路によって、所定のタイミングで断たれると、鉄片部材に対する保持力が解かれるため、駆動部材がシャッタ羽根を伴って作動するようになっている。
【０００４】
【発明が解決しようとする課題】
本発明は、このように、少なくとも一つのシャッタ羽根を備えたダイレクトタイプのカメラ用フォーカルプレンシャッタに関するものであるが、このタイプのものは、上記のように、セット状態においては、鉄片部材を電磁石に接触させた状態にしておかなければならない。しかしながら、セット作動時に、鉄片部材が電磁石に接触した瞬間に、駆動部材のセット作動を停止させるように製作するのは、部品加工や組立加工に許容公差が設定されている以上、極めて困難である。まして、シャッタ羽根を二つ備えている場合は、二つの駆動部材を一つのセット部材で作動させるため、それらの駆動部材に取り付けられている二つの鉄片部材を、全く同時に夫々の電磁石に接触させ、且つその瞬間にセット部材と各駆動部材の作動を停止させるようにすることは、至難のことと言わざるを得ない。
【０００５】
そのため、従来は、鉄片部材を駆動部材に取り付けるに際し、駆動部材に対して固定するのではなく、ばね部材を介して取り付けるようにし、セット作動時には、鉄片部材が電磁石に接触した後も、駆動部材が、そのばね部材を緊張させて若干作動を継続できるようにしている。そのため、鉄片部材は、電磁石に対して確実に接触させられ、その状態を維持することができるようになるが、その反面、鉄片部材が電磁石に接触してから駆動部材が停止するまでのオーバー作動量は、上記の許容公差によって一定しないものとなる。従って、駆動部材を一つ備えている場合には、製品ごとにオーバー作動量が異ったものとなってしまうし、駆動部材を二つ備えている場合には、両者のオーバー作動量が異なったものとなってしまう。
【０００６】
このことは、露光作動時における駆動部材の作動開始位置、言い換えればシャッタ羽根の作動開始位置が所定の位置に定まらず、正確な露光時間の制御が行えなくなることを意味している。何故ならば、上記したように、撮影に際して、電磁石に通電され、セット部材が初期位置へ復帰するとき、駆動部材は、上記の駆動ばねと、ばね部材の付勢力によって僅かに追従し、シャッタ羽根の作動を開始させる位置で停止することになるが、その位置までの作動量は、上記のオーバー作動量と全く同じだからである。
【０００７】
そこで、このように、ばね部材を介して鉄片部材を駆動部材に取り付けるようにした構成において、駆動部材が、所定の作動開始位置を得られるようにするためには、製作時において、電磁石の取付位置を調整することができるようにするか、駆動部材に対する鉄片部材の取付状態を調整することができるようにすればよいことになる。しかしながら、電磁石の取付位置を調整できるようにすることは、可能ではあっても容易ではない。それは、この種の調整は、調整幅が０．２〜０．０１ｍｍ程度の微調整であるのに対し、電磁石は、鉄芯やコイルなどから構成された比較的大きな部品であるため、その位置を移動させて微妙な調整を行えるようにするには無理があるからである。他方、駆動部材に対する鉄片部材の取付状態を調整できるようにすることは、ばね部材の存在があることもあって、これまでには好適な構成が提案されていない。従って、従来における調整は、電磁石に対する通電制御のタイミングを変えて行うのが普通であった。
【０００８】
本発明は、このような問題点を解決するためになされたものであり、その目的とするところは、電磁石に吸着される鉄片部材が、シャッタ羽根を作動させる駆動部材に対し、ばね部材を介在させて取り付けられているフォーカルプレンシャッタにおいて、撮影時における駆動部材の作動開始位置を、鉄片部材の取付状態を変えることによって極めて好適に調整することができるようにしたカメラ用フォーカルプレンシャッタを提供することである。
【０００９】
【課題を解決するための手段】
上記の目的を達成するために、本発明のカメラ用フォーカルプレンシャッタは、セット時には駆動ばねの付勢力に抗してセット部材によって作動させられ撮影時には該駆動ばねの付勢力によってシャッタ羽根を伴って作動させられる少なくとも一つの駆動部材と、軸部と該軸部の一端に設けられた頭部と該軸部の他端に設けられた鉄片部とを有しており前記駆動部材の取付部に対し該軸部の軸方向へ移動可能に取り付けられている鉄片部材と、前記取付部と前記鉄片部との間に配置されていて前記鉄片部と前記取付部を遠ざけるように付勢しているばね部材と、撮影時には前記鉄片部を吸着保持しており露光制御回路からの信号によってその保持力を解除され前記駆動ばねの付勢力による前記駆動部材の作動を可能にする電磁石と、を備えており、前記軸部の外周には雄ねじが形成され、前記鉄片部には該雄ねじに螺合している雌ねじが形成されていて、それらの螺合位置を変えることによって、前記取付部と前記鉄片部との間隔を変え得るようにする。
【００１０】
また、上記の目的を達成するために、本発明のカメラ用フォーカルプレンシャッタは、セット時には駆動ばねの付勢力に抗してセット部材によって作動させられ撮影時には該駆動ばねの付勢力によってシャッタ羽根を伴って作動させられる少なくとも一つの駆動部材と、軸部と該軸部の一端に設けられた頭部と該軸部の他端に設けられた鉄片部とを有しており前記駆動部材の取付部に対し該軸部の軸方向へ移動可能に取り付けられている鉄片部材と、前記取付部と前記鉄片部との間に配置されていて前記鉄片部と前記取付部を遠ざけるように付勢しているばね部材と、撮影時には前記鉄片部を吸着保持しており露光制御回路からの信号によってその保持力を解除され前記駆動ばねの付勢力による前記駆動部材の作動を可能にする電磁石と、を備えており、前記鉄片部は前記軸部に対して該軸部の軸方向へ移動可能に取り付けられ、前記軸部の外周には雄ねじが形成され、前記取付部には該雄ねじに螺合している雌ねじが形成されていて、それらの螺合位置を変えることによって、前記取付部と前記鉄片部との間隔を変え得るようにしてもよい。
【００１１】
【発明の実施の形態】
本発明の実施の形態を、図示した二つの実施例によって説明する。尚、図１は、被写体側から見て左側の約半分を示した第１実施例の平面図であって、露光作動終了直後の状態を示したものであり、図２は、図１の要部断面図である。また、図３及び図４は、図１と同じようにして示した第１実施例の平面図であって、図３は、セット状態を示したものであり、図４は、露光作動開始直前の状態を示したものである。更に、図５は、一部を断面で示した第２実施例の説明図である。
【００１２】
［第１実施例］
本実施例は、銀塩カメラにもデジタルスチルカメラにも採用することのできる二つのシャッタ羽根を備えたフォーカルプレンシャッタである。先ず、本実施例の構成を、主に図１及び図２を用いて説明するが、その説明に際しては、カメラに組み付けた状態において、被写体側を表面側と称し、撮影者側を背面側と称することにする。シャッタ地板１は、略中央部に、長方形を横長にした露光用の開口部１ａを形成しているが、図１は、シャッタ地板１の左側の約半分を示したものであるため、その開口部１ａも一部分だけが示されている。
【００１３】
また、シャッタ地板１の背面側には、図示していない周知の中間板と補助地板とが、所定の間隔を空けて順に取り付けられており、シャッタ地板１と中間板の間に先羽根の羽根室を構成し、中間板と補助地板の間に後羽根の羽根室を構成している。そして、これらの中間板と補助地板にも、略中央部に露光用の開口部が形成されていて、通常は、それらを開口部１ａと重ねて配置することにより、被写体光路用の露光開口を形成しているが、本実施例の場合には、開口部１ａが露光開口を規制しているものとして説明する。
【００１４】
開口部１ａの左側には二つの円弧状の長孔１ｂ，１ｃが形成されている。そして、長孔１ｂ，１ｃの下端部には、平面形状が略Ｃ字状をしているブチルゴム製の緩衝部材が取り付けられているが、それらの緩衝部材は、周知であって且つ本発明とは直接関係がないので、図示を省略されている。また、シャッタ地板１の表面側には、軸１ｄ，１ｅ，１ｆが立設されており、それらの先端には、図示していない周知の支持板が、開口部１ａの左側の領域において、シャッタ地板１と平行に取り付けられている。そして、その支持板には種々の部材が取り付けられているが、図１においては、シャッタ地板１側の面に取り付けられている先羽根用電磁石２と後羽根用電磁石３だけを、二点鎖線で示してある。
【００１５】
シャッタ地板１の軸１ｄには、合成樹脂製の先羽根用駆動部材４が回転可能に取り付けられている。この先羽根用駆動部材４は、表面側に取り付けられたローラ４ａと、背面側に設けられた駆動ピン４ｂと、表面側に形成された取付部４ｃとを有していて、図示していない周知の先羽根用駆動ばねによって時計方向へ回転するように付勢されているが、図１においては、背面側に設けられている駆動ピン４ｂが、長孔１ｂの下端部に取り付けられた図示していない緩衝部材に当接して停止させられた状態となっている。そして、駆動ピン４ｂの先端部は、長孔１ｂを貫通してシャッタ地板１の背面側に突き出ている。また、ローラ４ａを取り付けている面と取付部４ｃの背面側の面との間には隙間が形成されており、作動時に、後述するセット部材の一部が、その隙間内に入り込んだり通過したりして、両者が干渉しないようになっている。
【００１６】
また、取付部４ｃは、被写体側に大きく隆起して形成されており、その内部には、鉄片部材５が、ばね部材６を介在させて取り付けられている。即ち、図１は、内部を分かり易くするために、取付部４ｃを断面で示しているが、鉄片部材５は、軸部５ａと、その軸部５ａの一端に設けられた頭部５ｂと、軸部５ａの他端に設けられた鉄片部５ｃとを有しており、取付部４ｃに形成された孔４ｄに対して軸部５ａを緩く嵌合させ、軸方向へ移動可能に取り付けられている。また、軸部５ａには、コイル状のばね部材６が嵌装されているが、このばね部材６は、取付部４ｃと鉄片部５ｃの間に配置されていて、頭部５ｂと取付部４ｃを近付け、取付部４ｃと鉄片部５ｃを遠ざけるように付勢している。そして、軸部５ａには、頭部５ｂと取付部４ｃの間において、調整部材７が着脱可能に嵌装されているが、その形状と着脱方法については後述する。
【００１７】
シャッタ地板１の軸１ｅには、合成樹脂製の後羽根用駆動部材８が回転可能に取り付けられている。この後羽根用駆動部材８は、背面側に取り付けられたローラ８ａと、背面側に設けられた駆動ピン８ｂと、表面側に形成された取付部８ｃとを有していて、図示していない後羽根用駆動ばねによって時計方向へ回転するように付勢されているが、図１においては、背面側に設けられている駆動ピン８ｂが、長孔１ｃの下端部に取り付けられた図示していない緩衝部材に当接して停止させられた状態となっている。そして、駆動ピン８ｂの先端部は、長孔１ｃを貫通してシャッタ地板１の背面側に突き出ている。
【００１８】
また、取付部８ｃは、被写体側に隆起して形成されており、その内部には、鉄片部材９が、ばね部材１０を介在させて取り付けられている。即ち、図１は、上記の取付部４ｃの場合と同様に、取付部８ｃを一部断面で示しているが、鉄片部材９は、上記の鉄片部材５と同様に、軸部９ａと、頭部９ｂと、鉄片部９ｃとを有しており、取付部８ｃに形成された孔８ｄに対して軸部９ａを緩く嵌合させ、軸方向へ移動可能に取り付けられている。また、軸部９ａには、コイル状のばね部材１０が嵌装されており、頭部９ｂと取付部８ｃを近付け、取付部８ｃと鉄片部９ｃを遠ざけるように付勢している。そして、軸部９ａには、頭部９ｂと取付部８ｃの間において、調整部材１１が着脱可能に嵌装されている。
【００１９】
そこで、取付部８ｃに対する鉄片部材９とばね部材１０との取り付け方を説明する。先ず、頭部９ｂと一体の軸部９ａを取付部８ｃの孔８ｄに挿入しておく。次に、その軸部９ａにばね部材１０を嵌装させる。そして、最後に、鉄片部９ｃに形成されている孔を軸部９ａに挿入し、かしめ加工によって鉄片部９ｃを軸部９ａに固定している。このような取付構成は、上記の取付部４ｃに対する鉄片部材５とばね部材６との取付け方も同じである。
【００２０】
次に、調整部材１１の形状と着脱方法を、図２を用いて説明する。図２は、図１の略左下方から、後羽根用駆動部材８の一部だけを示したものであるが、鉄片部材９は、その軸部９ａを断面で示しているため、頭部９ｂの外形を一点鎖線で示してある。この図２から分かるように、本実施例の調整部材１１は、円環状の一部を切除した開放部を有していて、全体としてＣ字状をしている。そして、その内径は、軸部９ａの直径よりも若干大きくて、軸部９ａの長さ方向に移動可能であり、軸部９ａとの接触は２７０°を大きく超える範囲で可能となっている。また、その内径は、頭部９ｂの直径よりも小さい。更に、本実施例の場合、この調整部材１１は、温度や外力によって厚さが変化し難い材料、例えばポリエステル材料や金属材料で非常に薄く製作されているため、可撓性を有していると共に、一時的に変形されても原形に復し易い部材となっている。
【００２１】
調整部材１１は、鉄片部材９に対して、このようにして取り付けられているため、本実施例の作動中においては、軸部９ａから外れることはない。そこで、製作時におけるこのような調整部材１１の着脱方法を説明する。先ず、装着する場合には、鉄片部材９の頭部９ｂと後羽根用駆動部材８の取付部８ｃとの間に、調整部材１１を差し込み、その開放部を軸部９ａに当てておいて強く押し込めばよい。それによって、調整部材１１は一時的に変形するが、その後、図２に示したような装着状態が得られる。また、本実施例の場合、頭部９ｂの直径よりも調整部材１１の外径が大きくなっている。そのため、調整部材１１を外す場合には、ピンセットなどを用いて開放部を広げるようにすれば、調整部材１１を簡単に外すことができる。そして、このような調整部材１１の形状と軸部９ａに対する着脱方法は、上記の調整部材７の形状と軸部５ａに対する着脱方法の場合も同じである。
【００２２】
シャッタ地板１の軸１ｆには、セット部材１２が回転可能に取り付けられている。このセット部材１２は、押動部１２ａ，１２ｂと、被押動部１２ｃとを有していて、図示していない復帰ばねの付勢力によって、反時計方向へ回転するように付勢されているが、図１は、その回転を図示していない停止手段によって阻止されている状態を示している。以下、セット部材１２については、この位置を初期位置と称する。また、このセット部材１２は、カメラ本体側の操作部材１３によって被押動部１２ｃを押されると、上記の復帰ばねの付勢力に抗して時計方向へ回転し、操作部材１３が被押動部１２ｃから退いていくと、上記の復帰ばねの付勢力によって追従し、初期位置へ復帰するようになっている。
【００２３】
最後に、シャッタ地板１の背面側に配置されている先羽根と後羽根の構成を説明するが、本実施例におけるそれらの構成は周知であって、例えば特開２０００−１２２１１１号公報に記載のものと実質的に同じである。そのため、簡単に説明しておく。先ず、図３及び図４に一部が示されているように、先羽根は、シャッタ地板１の背面側に立設されている夫々の軸に枢着された二つのアーム１４，１５と、それらの先端に向けて順に枢支された４枚の羽根１６，１７，１８，１９で構成されており、最先端に枢支された羽根１９をスリット形成羽根にしている。そして、アーム１４に形成された孔には駆動ピン４ｂが嵌合しているため、図３において、先羽根用駆動部材４が時計方向へ回転すると、アーム１４も時計方向へ回転し、４枚の羽根１６〜１９を下方へ移動させるようになっている。
【００２４】
他方、後羽根は、先羽根と同じ構成をしているが、羽根室内においては、図３における先羽根を上下方向へ裏返した状態にして配置されている。そのため、二つのアームは、４枚の羽根よりも補助地板側に配置されることになるので、被写体側からは、開口部１ａを通して見ることができない。従って、図１においては、それらの先端に向けて枢支された４枚の羽根２０，２１，２２，２３だけが示されているが、それらのアームの最先端に枢支された羽根２３がスリット形成羽根である。また、それらのアームの一つに形成された孔には駆動ピン８ｂが嵌合しているため、図１において、後羽根用駆動部材８が反時計方向へ回転すると、そのアームも反時計方向へ回転し、４枚の羽根２０〜２３を上方へ移動させるようになっている。
【００２５】
次に、本実施例の作動を説明する。図１は、露光作動の終了直後の状態を示したものである。このとき、先羽根用駆動部材４と後羽根用駆動部材８とは、それらの駆動ピン４ｂ，８ｂが、長孔１ｂ，１ｃの下端に取り付けられている図示していない緩衝部材に当接して、時計方向の回転を停止させられた状態にある。また、駆動ピン４ｂに連結されている先羽根の４枚の羽根１６〜１９は、重畳状態となって開口部１ａの下方位置に格納されており、駆動ピン８ｂに連結されている後羽根の４枚の羽根２０〜２３は、展開状態となって開口部１ａを覆っている。そして、セット部材１２は初期位置にある。
【００２６】
シャッタのセット作動は、図１の状態において、操作部材１３が被押動部１２ｃを押し、図示していない復帰ばねの付勢力に抗して、セット部材１２を時計方向へ回転させることによって行われる。セット部材１２が回転を開始すると、先ず、押動部１２ａがローラ４ａを押して、先羽根用駆動部材４を、先羽根用駆動ばねの付勢力に抗して反時計方向ヘ回転させる。それによって、先羽根用駆動部材４の駆動ピン４ｂがアーム１４を反時計方向ヘ回転させるので、先羽根の４枚の羽根１６〜１９は、隣接する羽根同士の重なりを小さくしつつ上方へ作動されていく。
【００２７】
そして、先羽根のスリット形成羽根１９と後羽根のスリット形成羽根２３との重なり量が所定量に達した段階で、セット部材１２の押動部１２ｂが後羽根用駆動部材８のローラ８ａを押し始める。そのため、後羽根用駆動部材８は、後羽根用駆動ばねの付勢力に抗して反時計方向ヘ回転され、駆動ピン８ｂによって後羽根のアームを反時計方向ヘ回転させるので、後羽根の４枚の羽根２０〜２３は、隣接する羽根の重なりを大きくしつつ上方へ作動させられていく。そして、後羽根の４枚の羽根２０〜２３が開口部１ａの上方へ退き、先羽根の４枚の羽根１６〜１９が開口部１ａを覆った段階になると、先羽根用駆動部材４に取り付けられている鉄片部材５の鉄片部５ｃが先羽根用電磁石２の鉄芯に接触し、後羽根用駆動部材８に取り付けられている鉄片部材９の鉄片部９ｃが後羽根用電磁石３の鉄芯に接触するようになる。
【００２８】
ところで、鉄片部材５の鉄片部５ｃが先羽根用電磁石２の鉄芯に接触した瞬間に、先羽根用駆動部材４の回転を止めるように製作することは極めて難しい。このことは鉄片部材９の鉄片部９ｃと後羽根用電磁石３の鉄芯との関係においても同じである。従って、鉄片部材５の鉄片部５ｃと先羽根用電磁石２の鉄芯との関係だけを考えて見たとしても、もし、鉄片部材５が駆動部材４に固定されていた場合には、鉄片部５ｃが先羽根用電磁石２の鉄芯に接触した後も先羽根用駆動部材４を回転させる力が働くと、関係部材の磨耗や破損につながるし、鉄片部５ｃが先羽根用電磁石２の鉄芯に接触する前に先羽根用駆動部材４の回転が停止すると、後述の作動段階において、先羽根用電磁石２が先羽根用駆動部材４を吸着保持することができなくなってしまう。
【００２９】
まして、本実施例のように、二つの駆動部材４，８を備えている場合には、鉄片部材５の鉄片部５ｃが先羽根用電磁石２の鉄芯に接触するのと、鉄片部材９の鉄片部９ｃが後羽根用電磁石３の鉄芯に接触するのとが全くの同時であって、且つその瞬間に、先羽根用駆動部材４の回転と後羽根用駆動部材８の回転を止めるように製作することは不可能といっても過言ではない。従って、鉄片部材５，９が駆動部材４，８に固定されているようにした場合は、仮に、一方の鉄片部材の鉄片部が電磁石の鉄芯に接触した瞬間において、駆動部材４，８の回転を止めるように製作することができたとしても、そのときには、他方の鉄片部材の鉄片部が電磁石の鉄芯に接触していないため、一方の駆動部材については問題ないとしても、他方の駆動部材については吸着保持することができなくなってしまう。
【００３０】
そのため、従来からも知られているように、本実施例は、駆動部材４，８と鉄片部材５，９との間に、ばね部材６，１０を介在させており、駆動部材４，８は、鉄片部材５，９の鉄片部５ｃ，９ｃが、電磁石２，３の鉄芯に接触した後も、ばね部材６，１０を圧縮させながらしばらく回転したあとに停止するようになっている。このようにして、駆動部材４，８が停止した状態が図３に示されたセット状態であり、後羽根の４枚の羽根２０〜２３は、重畳状態となって開口部１ａの上方位置に格納され、先羽根の４枚の羽根１６〜１９が開口部１ａを覆っている。従って、このとき、撮影時に、駆動部材４，８を回転させる図示していない駆動ばねは、各々オーバーチャージ状態（駆動部材４，８が露光作動開始位置にあるときよりもチャージされている状態）にある。また、鉄片部材５，９は、ばね部材６，１０を圧縮させたことによって、頭部５ｂ，９ｂが図１の状態よりも取付部４ｃ，８ｃから遠ざかっているが、その変位量は、加工公差に左右されるので、両者間では異なるし、シャッタユニットごとでも異なったものになる。
【００３１】
このようなセット状態において、カメラのレリーズボタンが押されると、先ず、先羽根用電磁石２と後羽根用電磁石３に通電され、それらの鉄芯に接触していた鉄片部材５，９が吸着保持される。その場合、予め鉄片部材５，９が電磁石２，３の鉄芯に完全に接触されていないと、充分な吸着保持力が得られないが、本実施例の場合には、経済的な電力消費の下で、確実に吸着保持される。その後、カメラ本体側の部材である操作部材１３が上方へ移動し、セット部材１２の被押動部１２ｃに対する押圧力を解くので、セット部材１２は、図示していない復帰ばねの付勢力によって反時計方向へ回転し、初期位置へ復帰するが、そのとき、セット部材１２の押動部１２ａ，１２ｂがローラ４ａ，８ａに対する押圧力を解いていく。
【００３２】
このようにして、ローラ４ａ，８ａに対する押圧力が解かれていくと、駆動部材４，８は、図示していない駆動ばねがオーバーチャージされた分だけ時計方向へ回転され、取付部４ｃ，８ｃと鉄片部材５，９の頭部５ｂ，９ｂとの間隔を、調整部材７，１１の厚さ分だけ離した状態にして停止する。従って、このとき、先羽根と後羽根も若干作動して停止することになる。図４は、その停止状態を示したものであって、このときが、各駆動部材４，８と、先羽根及び後羽根にとっての露光作動開始位置である。
【００３３】
このような図４の状態になると、次に、先羽根用電磁石２に対する通電が断たれる。それによって、該電磁石２による保持力が失われ、先羽根用駆動部材４は、先羽根用駆動ばねの付勢力によって時計方向へ急速に回転する。そのため、先羽根用駆動部材４の駆動ピン４ｂが、アーム１４を時計方向へ回転させるので、先羽根の４枚の羽根１６〜１９は、隣接する羽根同士の重なりを大きくしながら下方へ作動して行き、スリット形成羽根１９によって、開口部１ａを開いていく。そして、スリット形成羽根１９が開口部１ａから下方へ完全に退いた段階で、先羽根用駆動部材４の駆動ピン４ｂが、長孔１ｂの下端に取り付けられている図示していない緩衝部材に当接し、先羽根用駆動部材４と先羽根の作動が停止する。
【００３４】
上記のように、先羽根用電磁石２に対する通電が断たれてから所定時間が経過すると、今度は、後羽根用電磁石３に対する通電が断たれる。それによって、後羽根用駆動部材８は、後羽根用駆動ばねの付勢力によって時計方向へ急速に回転させられ、駆動ピン８ｂによって、図示していないアームを時計方向へ回転させる。そのため、後羽根の４枚の羽根２０〜２３は、隣接する羽根同士の重なりを小さくしながら下方へ作動してゆき、スリット形成羽根２３によって、開口部１ａを閉じていく。従って、このとき未だ先羽根のスリット形成羽根１９が開口部１ａ内を作動中である場合には、二つのスリット形成羽根１９，２３によって形成されたスリットにより露光作動が行われる。そして、スリット形成羽根２３が開口部１ａを完全に閉鎖した段階で、後羽根用駆動部材８の駆動ピン８ｂが、長孔１ｃの下端に取り付けられている図示していない緩衝部材に当接し、後羽根用駆動部材８と後羽根の作動が停止する。その停止状態が図１に示された状態である。
【００３５】
ところで、上記の作動説明において、先羽根用駆動部材４が図３の状態から図４の状態に移動した量と、後羽根用駆動部材８が図３の状態から図４の状態に移動した量とは、既に説明したことからも分かるように、製作上の理由から同じではない。各々の移動量はシャッタユニットごとに異なったものとなっているし、両方の移動量の差もシャッタユニットごとに異なったものとなっている。従って、このままでは、正確な露光制御が行えないものとなってしまう。
【００３６】
そこで、従来は、このような問題点を補うために、電磁石２，３の通電を断つタイミングを、シャッタユニットごとに電気的に微調整するのが普通であった。ところが、本実施例の場合は、駆動部材４，８の相対的な露光作動開始位置を機械的に変えることによって、そのような調整を行えるようにしている。即ち、例えば、二つのスリット形成羽根１９，２３によって形成されるスリット幅が、所定の幅よりも広くなってしまう場合には、鉄片部材９の軸部９ａに取り付けられている調整部材１１を、厚さの薄いものと交換することになる。また、逆に、鉄片部材５の軸部５ａに取り付けられている調整部材７を、厚さの厚いものと交換するようにしてもよい。
【００３７】
また、二つのスリット形成羽根１９，２３によって形成されるスリット幅が、所定の幅よりも狭くなってしまう場合には、鉄片部材９の軸部９ａに取り付けられている調整部材１１を、厚さの厚いものと交換するか、逆に、鉄片部材５の軸部５ａに取り付けられている調整部材７を、厚さの薄いものと交換することになる。本実施例の場合は、このように、厚さの異なる調整部材を用意しておき、最適な厚さのものを選択することになるが、既に説明したように、鉄片部材５，９に対する着脱が極めて簡単に行えるので、調整作業のし易い構成となっている。
【００３８】
尚、本実施例の場合には、両方の鉄片部材５，９に調整部材７，１１を取り付けているが、いずれか一方にだけ取り付けるだけでも調整が可能であることは言うまでもない。また、本実施例の電磁石２，３は、通電すると鉄片部材５，９を吸着保持し、通電を断つとその保持力が失われるタイプのものであるが、このような電磁石に代えてコンビネーションマグネットと称されている、永久磁石を備えた電磁石を採用していても、調整方法には全く影響を受けない。
【００３９】
［第２実施例］
次に、図５を用いて第２実施例の要部のみを説明する。図５は、駆動部材に対する鉄片部材の取付構成だけを、一部断面で示したものである。従って、第１実施例のように、二つのシャッタ羽根を備えているフォーカルプレンシャッタの場合には、このような構成を両方の駆動部材に採用してもよいし、一方だけに採用してもよいことになる。また、必要があれば、一方には本実施例の取付構成を採用し、他方には第１実施例の取付構成を採用しても差し支えない。
【００４０】
そこで、先ず、本実施例の構成を説明する。第１実施例の場合とは形状が異なるが、駆動部材の一部である取付部２４の内部には、鉄片部材２５が、ばね部材２６を介在させて取り付けられている。即ち、鉄片部材２５は、軸部２５ａと、頭部２５ｂと、鉄片部２５ｃからなっていて、取付部２４に形成された孔２４ａに対して軸部２５ａを緩く嵌合させ、軸方向へ移動可能に取り付けられている。また、軸部２５ａには、コイル状のばね部材２６が嵌装されており、頭部２５ｂと取付部２４を近付け、取付部２４と鉄片部２５ｃを遠ざけるように付勢している。
【００４１】
そして、本実施例の場合には、鉄片部材２５の構成が第１実施例の場合と大きく異なっている。即ち、本実施例の場合には、軸部２５ａの右側の部位に雄ねじが形成されていて、軸部２５ａと頭部２５ｂとは、ねじ部材として製作されている。また、鉄片部２５ｃに設けられている孔には雌ねじが形成されていて、軸部２５ａの雄ねじに螺合させている。そこで、取付部２４に対する鉄片部材２５とばね部材２６との取り付け方を説明する。先ず、頭部２５ｂと一体の軸部２５ａを取付部２４の孔２４ａに挿入しておく。次に、その軸部２５ａにばね部材２６を嵌装させる。その後、鉄片部２５ｃの孔位置を軸部２５ａに合わせておき、頭部２５ｂを回転させることによって、鉄片部２５ｃを軸部２５ａに螺合させる。そして、最後に、軸部２５ａの右端を潰し、抜け止め部を形成する。
【００４２】
このような構成の本実施例において調整作業を行うには、図面上では分かり難いが、鉄片部２５ｃが配置されている取付部２４の内側の面が回転止めとなっているので、単に、頭部２５ｂを回転させるだけでよい。即ち、上記の雄ねじ，雌ねじが、右ねじとして形成されている場合には、ドライバーによって頭部２５ｂを反時計方向へ回転させると、鉄片部２５ｃは図５の右方向へ移動する。その結果、上記の第１実施例の説明からも分かるように、駆動部材の露光作動開始位置が、電磁石から遠ざかる方向へ変位させられたことになる。また、逆に、ドライバーで頭部２５ｂを時計方向へ回転させると、鉄片部２５ｃは、図５において左へ移動するので、駆動部材の露光作動開始位置は、電磁石に近付くように変位させられたことになる。このように、本実施例の場合には、ドライバーを用いて簡単に調整できるという利点がある。
【００４３】
ところで、これまでの説明からも分かるように、駆動部材の露光作動開始位置を調整するということは、シャッタ羽根が所定のタイミングで露光開口を開閉作動できるようにするために、撮影時に、セット部材が駆動部材から離れた状態、即ち第１実施例の図４の状態において、駆動部材の回転位置を、電磁石の鉄芯に接離する方向へ変位させることである。従って、このことは、常態（図３に示されたセット状態以外のとき）における、鉄片部材の被吸着面と取付部との相対位置関係を、鉄片部材の軸部の軸方向に変えることにほかならない。このような観点から、図５に示した第２実施例をみてみると、この実施例には少なくとも二つの変形例が考えられる。
【００４４】
その一つは、第２実施例における軸部２５ａの雄ねじと鉄片部２５ｃの雌ねじを無くし、鉄片部２５ｃを軸部２５ａに対して、軸方向へも回転方向へも可動にする。そして、その代わりに、取付部２４の孔２４ａに雌ねじを形成し、軸部２５ａには、その雌ねじに螺合する雄ねじを形成するようにする。このような構成において頭部２５ｂを反時計方向へ回転させると、その頭部２５ｂは取付部２４から離れることになるが、取付部２４と鉄片部２５ｃ（言い換えれば、被吸着面）の相対位置は、軸部２５ａの軸方向へ調整されたことになる。
【００４５】
もう一つは、上記と同じように、第２実施例における軸部２５ａの雄ねじと鉄片部２５ｃの雌ねじを無くし、鉄片部２５ｃを軸部２５ａに対して、軸方向へも回転方向へも可動にする。そして、その代わりとしては、第１実施例と同じ形状をした、厚さの異なる数種の調整部材（７，１１）を用意しておき、それらの中から選択したものを、軸部２５ａの右端に形成された抜け止め部と、鉄片部２５ｃとの間において、軸部２５ａに取り付けるようにする。それによって、取付部２４と鉄片部２５ｃの相対位置は、軸部２５ａの軸方向へ調整されたことになる。
【００４６】
尚、上記の各実施例の説明は、駆動部材（言い換えれば、シャッタ羽根）を二つ備えたフォーカルプレンシャッタを前提にして説明したが、上記のような調整は、基本的には、シャッタ羽根が所定のタイミングで露光開口を開・閉作動できるようにするために行うものであるから、本発明は、デジタルスチルカメラにのみ採用されている、駆動部材を一つだけ備えてたフォーカルプレンシャッタにも適用することができる。また、駆動部材を二つ備えたフォーカルプレンシャッタの中には、二重遮光方式のフォーカルプレンシャッタと称されていて、後羽根用駆動部材が後羽根のアームに直接連結されていないものもあるが、そのようなタイプのシャッタであっても、露光作動時には、後羽根用駆動部材が後羽根を作動させるので、本発明を適用することが可能である。
【００４７】
また、上記の各実施例においては、鉄片部材の鉄片部は、少なくともその一部が、常に、駆動部材の取付部内に収容されているように構成されているが、これは、鉄片部材が、その軸部において回転してしまわないようにしているからである。従って、何らかの回転止め手段を講じた場合には、鉄片部が一時的又は常に取付部の外にあるように構成しても差し支えない。更に、上記の各実施例においては、コイル状のばね部材を鉄片部材の軸部に対して圧縮可能に嵌装させているが、このばね部材は、駆動部材の取付部から鉄片部を遠ざけるように付勢するためのものであるから、各実施例のようなコイルばねには限定されず、板ばねであっても差し支えない。
【００４８】
【発明の効果】
以上のように、本発明は、電磁石に吸着される鉄片部材が、シャッタ羽根を作動させる駆動部材に対し、ばね部材を介在させて取り付けられているフォーカルプレンシャッタにおいて、撮影時における駆動部材の作動開始位置を、鉄片部材の取付状態を変えることによって簡単に調整することができるという特徴を有している。
【図面の簡単な説明】
【図１】被写体側から見て左側の約半分を示した第１実施例の平面図であって、露光作動終了直後の状態を示したものである。
【図２】図１の要部断面図である。
【図３】図１と同じようにして示した第１実施例の平面図であって、セット状態を示したものである。
【図４】図１と同じようにして示した第１実施例の平面図であって、露光作動開始直前の状態を示したものである。
【図５】一部を断面で示した第２実施例の説明図である。
【符号の説明】
１                      シャッタ地板
１ａ                    開口部
１ｂ，１ｃ              長孔
１ｄ，１ｅ，１ｆ        軸
２                      先羽根用電磁石
３                      後羽根用電磁石
４                      先羽根用駆動部材
４ａ，８ａ              ローラ
４ｂ，８ｂ              駆動ピン
４ｃ，８ｃ，２４        取付部
４ｄ，８ｄ，２４ａ      孔
５，９，２５            鉄片部材
５ａ，９ａ，２５ａ      軸部
５ｂ，９ｂ，２５ｂ      頭部
５ｃ，９ｃ，２５ｃ      鉄片部
６，１０，２６          ばね部材
７，１１                調整部材
８                      後羽根用駆動部材
１２                    セット部材
１２ａ，１２ｂ          押動部
１２ｃ                  被押動部
１３                    操作部材
１４，１５              アーム
１６，１７，１８，１９，２０，２１，２２，２３  羽根
【図１】
0003635075.tif 000002
【図２】
0003635075.tif 000003
【図３】
0003635075.tif 000004
【図４】
0003635075.tif 000005
【図５】
0003635075.tif 000006